(57)【要約】【課題】短い間隔でゾーン移行を判定可能なゾーン移行制御方法および装置を提供する。【解決手段】高速移動中の携帯端末の待ち受け状態におけるゾーン移行制御方法において、最初に、周辺基地局チャネル情報で示された複数の待ち受けチャネルについて受信レベルを測定し、これらの待ち受けチャネルに対応して得られた受信レベルに基づいて、ゾーン移行が必要であるか否かを判定した後に、受信レベルが高い側の待ち受けチャネルを抽出し、抽出されたチャネルについて選択的に受信レベルを測定し、抽出されたチャネルに対応する受信レベルに基づいて、ゾーン移行が必要であるか否かを判定する。【選択図】      図１
2004159109.tif 000002
【特許請求の範囲】
【請求項１】
所定の速度を超える速度で移動している携帯端末の待ち受け状態におけるゾーン移行制御方法において、
周辺に存在する基地局に関する周辺基地局チャネル情報を受信するチャネル情報受信手順と、
前記周辺基地局チャネル情報に基づいて、複数の待ち受けチャネルについて受信レベルを測定する全域測定手順と、
前記全域測定手順において測定された複数の待ち受けチャネルについて得られた受信レベルに基づいて、ゾーン移行が必要であるか否かを判定する全域判定手順と、
前記全域ゾーン移行判定手順においてゾーン移行が不要であるとされたときに、前記受信レベル測定手順において得られた測定結果に基づいて、受信レベルが高い側の待ち受けチャネルを前記全域測定手順において測定された待ち受けチャネルの数よりも少ない数だけ抽出する抽出手順と、
前記抽出手順において抽出された待ち受けチャネルについて受信レベルを測定する限定測定手順と、
前記限定受信レベル測定手順において測定された受信レベルに基づいて、ゾーン移行が必要であるか否かを判定する限定判定手順と、
前記全域判定手順あるいは限定判定手順においてゾーン移行が必要であると判定された場合に、適切なゾーン移行処理を実行するゾーン移行手順と
を備えたことを特徴とするゾーン移行制御方法。
【請求項２】
請求項１に記載のゾーン移行制御方法において、
前記限定判定手順においてゾーン移行が不要であるとされた場合は、前記限定測定手順および限定判定手順を繰り返す
ことを特徴とするゾーン移行制御方法。
【請求項３】
受信レベル測定対象のチャネル情報を基地局から受信し、前記チャネル情報に従って、受信レベルの測定を行い、ゾーン移行を判定する移動通信システムにおける携帯端末において、
自端末の移動速度が遅い場合には、前記チャネル情報に従った第１チャネル群に対して行った前記受信レベルの測定で得られた測定結果に基づいて前記ゾーン移行の判定を行い、前記移動速度が速い場合は、前記第１チャネル群のうち、前記測定結果によって受信レベルが高いことが示されたチャネルからなる第２チャネル群に対して前記受信レベルの測定を選択的に行い、得られた測定結果に基づいて、前記ゾーン移行の判定を行う判定手段を備えた
ことを特徴とする携帯端末。
【発明の詳細な説明】
【０００１】
【発明の属する技術分野】
本発明は、移動通信システムにおいて携帯端末のゾーン移行を制御するゾーン移行制御方法および携帯端末に関し、特に携帯端末が高速で移動している場合に適合するゾーン移行制御技術に関する。
【０００２】
【従来の技術】
図６に、一般的な携帯端末の構成を示す。
図６に示した携帯端末において、無線送受信部４０１が通信中の基地局から受信した信号は、変復調部４０２において復調され、通信処理部４０３を介して、操作部４０４、表示部４０５および音響回路４０６からなるユーザインタフェース部に渡される。また、もちろん、ユーザインタフェース部からの情報は、通信処理部４０３を介して変復調部４０２に渡され、変調された信号が無線送受信部４０１を介して通信中の基地局へ送信される。
【０００３】
一方、携帯端末が通信中でない場合には、図６に示した待ち受け処理部４０７が動作する。
図６に示した待ち受け処理部４０７において、受信レベル測定部４１２は、携帯端末に電源が投入されたときに、位置登録制御部４１１からの指示に応じて、全ての待ち受けチャネルについて受信レベルを測定する。次いで、位置登録制御部４１１は、受信レベル測定部４１２によって得られた測定結果に基づいて最も受信電界の大きい基地局を選択し、選択した基地局との間で同期を確立する。また、位置登録制御部４１１は、基地局から受け取った制御情報に基づいて位置登録の必要性を判断し、必要に応じて、この基地局に位置登録を行う。その後、待ち受け制御部４０７は、無線送受信部４０１、変復調部４０２および通信処理部４０３を介して、この基地局から周辺に存在する基地局に関する情報（以下、周辺基地局チャネル情報と称する）を受け取る。例えば、わが国で採用されているＰＤＣ（Ｐｅｒｓｏｎａｌ  Ｄｉｇｉｔａｌ  Ｃｅｌｌｕｌａｒ）方式では、上述した周辺基地局チャネル情報として、最大２０個のとまり木チャネル番号が、基地局から報知チャネル（ＢＣＣＨ）を介して携帯端末に送信されている。この周辺基地局チャネル情報を受け取った後は、図６に示した移行監視部４１３が、周辺基地局チャネル情報で示された各基地局について、受信レベル測定部４１２に定期的に受信レベルの測定を指示し、その測定結果に基づいて、これらの基地局に対応する受信レベルを監視しつつ、ゾーン移行に備える。例えば、上述したＰＤＣ方式の場合は、受信レベル測定部４１２により、一斉呼び出しチャネル（ＰＣＨ）に関する受信レベルの測定が行われる。
【０００４】
このとき、移行監視部４１３は、上述した周辺基地局チャネル情報で示された各基地局に対応するチャネルを順次に指定して、受信レベル測定部４１２に受信レベルの測定を指示し、その測定結果を監視している。従来は、ゾーン移行に備えるために受信レベルを監視する動作は、消費電力を極力抑えるために、後述する間欠受信モードで実行されている。
【０００５】
図７に、受信レベルを監視する動作を説明するタイミング図を示す。
間欠受信モードとは、図７に示すように、各スーパーフレームの先頭のサブフレームにおいてのみ現在同期を確立している基地局（以下、同期中の基地局と称する）からの信号を受信するモードである。この間欠受信モードを利用して、移行監視部４１３は、受信レベル測定部４１２に対して、上述したサブフレームの先頭の受信スロットにおいて同期中の基地局からの信号の受信レベルの測定を指示し、次の空きスロットにおいて周辺の基地局のいずれか一つに対応するチャネルの受信レベルの測定を指示している。
【０００６】
上述した移行監視部４１３からの指示に応じて、受信レベル測定部４１２によって測定された受信レベルを示す値は、各基地局を示す情報に対応してその測定結果を受信レベルテーブル４１４に格納される。そして、全ての周辺基地局に関する測定が終了したときに、移行監視部４１３は、同期中の基地局に対応する受信レベルと、周辺の他の基地局に対応する受信レベルとを比較し、他の基地局に対応する受信レベルの方が大きい場合には、ゾーン移行が発生したと判断して、必要な処理を行う。
【０００７】
なお、位置登録などに関する詳細については、例えば、非特許文献１を参照されたい。
【非特許文献１】
Ｊ．  Ｄｕｎｌｏｐ  ｅｔ．  ａｌ．  ”Ｄｉｇｉｔａｌ  Ｍｏｂｉｌｅ  Ｃｏｍｍｕｎｉｃａｔｉｏｎｓ  ａｎｄ  ｔｈｅ  ＴＥＴＲＡ  Ｓｙｓｔｅｍ”ＪＯＨＮ  ＷＩＬＬＥＹ  ＆  ＳＯＮＳ，ＬＴＤ  １９９９  （ｐ．７１−７３，  Ｔａｂｌｅ  ２．１）
【０００８】
【発明が解決しようとする課題】
上述した従来技術では、周辺基地局チャネル情報で示された全ての基地局に関する測定を終了するまでには、通知された周辺基地局の数に相当するスーパーフレームが費やされる。周辺基地局チャネル情報で通知される周辺基地局の数は最大で２０であり、また、１つのスーパーフレームは、それぞれ２０ｍｓの長さを持つ３６個のサブフレームから構成されているので、その場合に全ての受信レベルを測定するまでに費やされる時間、すなわち、ゾーン移行の判定間隔は１４．４秒にもなってしまう。
【０００９】
このため、携帯端末の移動速度が大きい場合には、最悪の場合は、同期はずれが発生してしまう。なぜなら、例えば、携帯端末の利用者が車で移動している場合などには、ゾーン移行の判定間隔である１４．４秒の間に、携帯端末が図８に矢印を付して示すようにゾーンをまたがって移動している可能性がかなり大きいため、周辺の各基地局に対応する受信レベルの測定結果とゾーン移行を判定するタイミングにおける実際の受信レベルとのずれが発生し、誤った移行先を選択してしまう可能性があるからである。
【００１０】
例えば、図８に矢印で示した例のように、移行判定間隔の間に、図８において網掛けを付して示した携帯端末が基地局Ａに対応するゾーンから基地局６のゾーンを経由して基地局１のゾーンに到達した場合には、これらの基地局６および基地局１に対応する受信レベルを測定したタイミングによっては、基地局６に対応する受信レベルの方が基地局１に対応する受信レベルよりも大きくなる可能性がある。このような場合には、実際の最寄りの基地局は基地局１であり、その時点における基地局６からの電波はすでに微弱である可能性が高いにもかかわらず、基地局６が移行先の基地局として選択されてしまう。そして、このような場合には、同期はずれが発生し、再び全ての待ち受けチャネルのスキャンを行わなければならない。
【００１１】
このように、従来のゾーン移行制御方法では、携帯端末が高速で移動している場合には、各基地局について得られた測定結果が、移行先を決定するタイミングにおける実際の受信レベルを正確に反映していない可能性があるために、移行先を正確に決定することができなかった。
このことの原因は、ゾーン移行判定間隔が長すぎるために、移行先の選択肢となる各待ち受けチャネルに関する受信レベルの測定タイミングが大きくばらついていることにある。
【００１２】
本発明は、短い間隔でゾーン移行を判定可能なゾーン移行制御方法および装置を提供することを目的とする。
【００１３】
【課題を解決するための手段】
図１に、本発明にかかわるゾーン移行制御方法の原理を示す。
請求項１の発明は、所定の速度を超える速度で移動している携帯端末の待ち受け状態におけるゾーン移行制御方法において、周辺に存在する基地局に関する周辺基地局チャネル情報を受け取るチャネル情報受信手順と、周辺基地局チャネル情報に基づいて、複数の待ち受けチャネルについて受信レベルを測定する全域測定手順と、全域測定手順において測定された複数の待ち受けチャネルについて得られた受信レベルに基づいて、ゾーン移行が必要であるか否かを判定する全域判定手順と、全域ゾーン移行判定手順においてゾーン移行が不要であるとされたときに、受信レベル測定手順において得られた測定結果に基づいて、受信レベルが高い側の待ち受けチャネルを全域測定手順において測定された待ち受けチャネルの数よりも少ない数だけ抽出する抽出手順と、抽出手順において抽出されたチャネルについて受信レベルを測定する限定測定手順と、限定受信レベル測定手順において測定された受信レベルに基づいて、ゾーン移行が必要であるか否かを判定する限定判定手順と、全域判定手順あるいは限定判定手順においてゾーン移行が必要であると判定された場合に、適切なゾーン移行処理を実行するゾーン移行手順とを備えることを特徴とする。
【００１４】
請求項１の発明では、携帯端末が高速で移動している場合には、最初に全域測定手順によって、周辺基地局情報で示された複数の待ち受けチャネルについての受信レベルを測定し、その測定結果に基づいて、抽出手順においてより少数の待ち受けチャネルが測定対象として抽出され、これらの待ち受けチャネルについて限定測定手順において受信レベルの測定を行い、得られた測定結果に基づいて、限定判定手順においてゾーン移行に関する必要性が判定される。このように、最初の測定結果に基づいて、測定対象とする待ち受けチャネルの数を制限することにより、次のゾーン移行判定間隔を格段に短くすることができる。これにより、ゾーン移行先の選択肢となる各待ち受けチャネルに関する測定タイミングのばらつきが小さくなる。したがって、限定判定手順では、その時点における各待ち受けチャネルの受信レベルを忠実に反映した正確な測定結果に基づいて、ゾーン移行の必要性を判定することができ、また、ゾーン移行手順では、正しい移行先を選択することができる。
【００１５】
請求項２の発明は、請求項１に記載のゾーン移行制御方法において、限定判定手順においてゾーン移行が不要であるとされた場合は、限定測定手順および限定判定手順を繰り返すことを特徴とする。
請求項２の発明では、一度全域判定手順を実行した以降は、全域測定手順および全域判定手順を繰り返す代わりに、限定測定手順および限定判定手順を繰り返すので、２回目以降のゾーン移行判定間隔を格段に短くすることができる。これにより、ゾーン移行先の選択肢となる各待ち受けチャネルに関する測定タイミングのばらつきが小さくなる。したがって、限定判定手順では、その時点における各待ち受けチャネルの受信レベルを忠実に反映した正確な測定結果に基づいて、ゾーン移行の必要性を判定することができ、また、ゾーン移行手順では、正しい移行先を選択することができる。
【００１６】
請求項３の発明は、受信レベル測定対象のチャネル情報を基地局から受信し、チャネル情報に従って、受信レベルの測定を行い、ゾーン移行を判定する移動通信システムにおける携帯端末において、自端末の移動速度が遅い場合には、チャネル情報に従った第１チャネル群に対して行った受信レベルの測定で得られた測定結果に基づいてゾーン移行の判定を行い、移動速度が速い場合は、第１チャネル群のうち、測定結果によって受信レベルが高いことが示されたチャネルからなる第２チャネル群に対して受信レベルの測定を選択的に行い、得られた測定結果に基づいて、ゾーン移行の判定を行う判定手段を備えたことを特徴とする。
【００１７】
請求項３の発明では、携帯端末に備えられた判定手段が、携帯端末の移動速度が速い場合には、周辺基地局チャネル情報で示される第１チャネル群についての測定結果に基づいて、以降に注目する待ち受けチャネルを制限し、第２チャネル群についてのみ選択的に行われる受信レベルの測定結果に基づいて、ゾーン移行の判定を行う。したがって、第２チャネル群に含める待ち受けチャネルの数を制限することにより、判定手段においてゾーン移行判定を実行する間隔を大幅に短縮することができる。
【００１８】
【発明の実施の形態】
まず、本発明にかかわるゾーン移行制御方法を適用した携帯端末の原理的な構成を説明する。
図２に、本発明にかかわるゾーン移行制御方法を適用した携帯端末の原理ブロック図を示す。
図２に示した携帯端末は、レベル測定手段１１１、移行判定手段１１３、チャネル抽出手段１１４、モード決定手段１１５および測定制御手段１１６からなる判定手段と、速度測定手段１１２と、移行処理手段１１７とから構成されている。この携帯端末において、レベル測定手段１１１は、入力される測定指示で示された待ち受けチャネルについて、送受信手段１０１に到達する信号の受信レベルを測定する。速度測定手段１１２は、携帯端末の移動速度を測定する。移行判定手段１１３は、レベル測定手段１１１において、測定対象の待ち受けチャネルに関する受信レベルの測定が完了するごとに、レベル測定手段１１１による測定結果に基づいて、ゾーン移行が必要であるか否かを判定する。チャネル抽出手段１１４は、レベル測定手段１１１によって得られた測定結果に基づいて、受信レベルの高い方から所定の数の待ち受けチャネルを抽出する。モード決定手段１１５は、速度測定手段１１２による測定結果に基づいて、低速モードと高速モードとのいずれを適用するかを決定する。測定制御手段１１６は、送受信手段１０１を介して周辺基地局チャネル情報を受け取った際に、この周辺基地局チャネル情報で示される待ち受けチャネルからなる第１チャネル群を測定対象とし、以降は、移行判定手段１１３によってゾーン移行が不要とされるごとに、モード決定手段１１５によって決定されたモードに従って、上述した第１チャネル群あるいは、チャネル抽出手段１１４によって抽出された待ち受けチャネルからなる第２チャネル群を測定対象として指示する測定指示をレベル測定手段１１１に入力する。移行処理手段１１７は、移行判定手段１１３によってゾーン移行が必要であると判定されたときに、レベル測定手段１１１による測定結果に基づいて適切な移行先を選択し、送受信手段１０１を介してゾーン移行に必要な信号のやり取りを行う。
【００１９】
このような携帯端末では、周辺基地局チャネル情報で示された全ての待ち受けチャネルに関する測定がレベル測定手段１１１によって行われ、この測定結果に基づいて移行判定手段１１３によって最初のゾーン移行判定が行われた後、速度測定手段１１２によって測定された携帯端末の移動速度に応じて、モード決定手段１１５により適切なモードが決定される。そして、高速モードが選択された場合には、測定制御手段１１６により、レベル測定手段１１１による測定対象が、チャネル抽出手段１１４によって抽出された待ち受けチャネルに制限される。つまり、携帯端末の移動速度が高速である場合は、２度目以降のゾーン移行判定処理では、レベル測定手段１１１によって測定すべき待ち受けチャネルの数を大幅に限定することができるので、レベル測定処理に要する時間を短縮し、短い間隔でゾーン移行判定を繰り返して行うことができる。これにより、ゾーン移行先の選択肢となる各待ち受けチャネルに関する測定タイミングのばらつきが小さくなる。したがって、移行判定手段１１３では、その時点における各待ち受けチャネルの受信レベルを忠実に反映した正確な測定結果に基づいて、ゾーン移行の必要性を判定することができ、また、移行処理手段１１７では、正しい移行先を選択することができる。
【００２０】
以下、図面に基づいて、本発明の実施形態について詳細に説明する。
図３に、本発明にかかわるゾーン移行制御装置を適用した携帯端末の実施形態を示す。
なお、図３に示した構成要素のうち、図６に示した各部と同等のものについては、図６に示した符号を付して示し、その説明を省略する。
【００２１】
図３に示した待ち受け処理部４０７は、移行監視部４１３に代えて移行処理部２１０を備え、この移行処理部２１０が、速度測定部２０１による測定結果に応じて、受信レベル測定部４１２に適切な指示を入力するとともに受信レベルテーブル４１４を操作し、また、この受信レベルテーブル４１４に保持された情報に基づいて、上述した移行監視部４１３と同様のゾーン移行に備える処理を行う。
【００２２】
図３に示した速度判定部２０１は、無線送受信部４０１によって受信された信号のフェージングピッチに基づいて、携帯端末自身の移動速度が低速（歩行速度程度）であるか高速（自動車の走行速度程度）であるかを判定する。このような速度判定部２０１は、従来から携帯端末に備えられているので、この速度判定部２０１の判定結果をそのまま利用して、移行処理部２１０に入力することができる。
【００２３】
また、図３に示した移行処理部２１０において、モード判定部２１１は、上述した速度判定部２０１による判定結果に応じて、適切な動作モードを指示するモード指示を測定制御部２１２および移行判定部２１３に入力する。このモード指示に応じて、測定制御部２１２は、指定された動作モードに対応する手順に従って、受信レベル測定部４１２およびテーブル並べ替え部２１４に必要な指示を入力する。また、図３に示した移行判定部２１３は、測定制御部２１２から測定動作が完了した旨が通知されるごとに、受信レベルテーブル４１４を参照し、指定された動作モードに対応する手順に従って、ゾーン移行の必要性および適切な移行先を判定する。
【００２４】
ここで、図３に示した各部と図２に示した各手段との対応関係について説明する。
図３に示した無線送受信部４０１、変復調部４０２および通信処理部４０３は、図２に示した送受信手段１０１に相当する。また、図３に示した受信レベル測定部４１２は、図２に示したレベル測定手段１１１に相当する。同様に、図３に示した速度判定部２０１は、図２に示した速度測定手段１１２に相当する。また、図３に示したモード判定部２１１は、図２に示したモード決定手段１１５に相当する。一方、図２に示したチャネル抽出手段１１４の機能は、図３に示したテーブル並べ替え部２１４が測定制御部２１２からの指示に応じて受信レベルテーブル４１４を操作することによって果たされる。また、図２に示した測定制御手段１１６の機能は、図３に示したモード判定部２１１からのモード指示に応じて、測定制御部２１２が受信レベル測定部４１２に適切な指示を入力することによって果たされる。更に、図２に示した移行処理手段１１７の機能は、図３に示したモード判定部２１１からのモード指示に応じて、移行判定部２１３が必要な処理を実行することによって果たされる。つまり、図２に示したゾーン移行制御装置は、図３に示した速度判定部２０１、移行処理部２１０、受信レベル測定部４１２および受信レベルテーブル４１４とから構成されている。
【００２５】
次に、図３に示したゾーン移行制御装置の動作について説明する。
図４に、ゾーン移行制御装置の動作を表す流れ図を示す。また、図５に、本発明にかかわるゾーン移行制御装置の動作を説明するタイミング図を示す。
まず、従来と同様に、現在同期している基地局から受信した周辺基地局チャネル情報は、図３に示した無線送受信部４０１、変復調部４０２および通信処理部４０３を介して移行処理部２１０に渡される（図４のステップ３０１）。このとき、各基地局のチャネル情報は、周辺基地局チャネル情報で示された順序に従って受信レベルテーブル４１４に格納される。また、図３に示した速度判定部２０１による判定結果に基づいて、モード判定部２１１は、適用すべきモードを決定する（図４のステップ３０２）。
【００２６】
図３に示した移行処理部２１０において、測定制御部２１２は、まず、図４のステップ３０１で受け取った周辺基地局チャネル情報で示される全ての基地局に対応する待ち受けチャネルについて、順次に受信レベルを測定する旨を受信レベル測定部４１２に指示し、これらの指示に応じて、受信レベル測定部４１２は、従来と同様に、周辺基地局チャネル情報で示される１８〜２０局について受信レベル測定を順次に実行する（ステップ３０３、図５に示した最初の２０個のスーパーフレーム参照）。このステップ３０３において測定された受信レベルは、上述したチャネル情報に対応して、図３に示した受信レベルテーブル４１４にそれぞれ格納される。
【００２７】
このようにして、周辺基地局チャネル情報で示された全ての待ち受けチャネルについて受信レベルの測定が終了したときに、図３に示した移行判定部２１３は、受信レベルテーブル４１４に格納された各基地局に対応する受信レベルに基づいて、従来と同様にゾーン移行が必要か否かを判定する（ステップ３０４、図５に符号（１）を付して示す）。
【００２８】
このとき、同期中の基地局に対応する受信レベルが、他の周辺基地局に対応する受信レベルのどれよりも大きかった場合は、ステップ３０４の否定判定となり、処理はステップ３０５に進む。そして、このステップ３０５において、測定制御部２１２は、モード判定部２１１から高速モードが指示されているか否かを判定する。
【００２９】
モード判定部２１１からのモード指示により高速モードが指示されている場合（ステップ３０５の肯定判定）に、測定制御部２１２は、テーブル並べ替え部２１４に受信レベルテーブルの並べ替えを指示し、これに応じて、テーブル並べ替え部２１４は、受信レベルの大きい順に受信レベルテーブル４１４のエントリを並べ替える（ステップ３０６）。
【００３０】
その後、測定制御部２１２は、並べ替えられた受信レベルテーブル４１４を参照し、その上位ｎ個までのエントリに格納されたチャネル情報を指定する測定指示を受信レベル測定部４１２に入力し、また、この測定指示に応じて、受信レベル測定部４１２は、同期中の基地局に対応する待ち受けチャネルとともに指定されたチャネル情報で示される待ち受けチャネルについて、その受信レベルをそれぞれ測定する（ステップ３０７、図５に示した２１個目以降のスーパーフレーム参照）。
【００３１】
このようにして、ｎ個の周辺基地局に対応する待ち受けチャネルに関する受信レベルの測定が終了し、これらの受信レベルが受信レベルテーブル４１４に格納されたときに、移行判定部２１３は、受信レベルテーブル４１４の最初のｎ個のエントリにそれぞれ格納された受信レベルと同期中の基地局に対応する受信レベルとをそれぞれ比較し、ゾーンの移行が必要であるか否かを判定する（ステップ３０８、図５に符号（２）〜（４）を付して示す）。
【００３２】
上述したｎ個のエントリに格納された受信レベルのどれよりも同期中の基地局に対応する受信レベルが大きい場合に、移行判定部２１３は、ゾーンの移行は不要であると判断する（ステップ３０８の否定判定）。この場合に、処理は、ステップ３０７に戻り、ステップ３０８において、ゾーンの移行が必要であると判断されるまで、ステップ３０７およびステップ３０８を繰り返す。
【００３３】
一方、上述したｎ個のエントリに格納された受信レベルのいずれかが同期中の基地局に対応する受信レベルよりも大きい場合（ステップ３０８の肯定判定）およびステップ３０４の肯定判定の場合に、移行判定部２１３は、該当するエントリに格納されたチャネル情報で示されるゾーンへの移行に必要な処理を実行する（ステップ３０９）。このゾーン移行処理が完了した後に、ゾーン移行を監視する処理は終了し、次いで、移行先のゾーンからまた新たなゾーンへの移行の発生を監視する処理が開始される。
【００３４】
図５から分かるように、図３に示したゾーン移行制御装置では、高速モードが適用されている場合には、最初のゾーン移行判定の際にのみ、周辺基地局チャネル情報で示された全ての基地局に対応する受信レベルの測定を実行し、以降は、受信レベルの測定値が大きい順位上位のｎ個所の基地局に限定して受信レベルの測定を行い、これらの限定された基地局に対応する受信レベルの測定値に基づいて、２回目以降のゾーン移行判定を行う。
【００３５】
したがって、例えば、２回目以降のゾーン移行判定において測定対象とする基地局の数を６箇所に限定することにより、これらの基地局に関する受信レベルの測定値に基づいてゾーン移行判定を行う間隔を、６個のスーパーフレームに相当する時間、すなわち、４．３２秒にまで短縮することができる。
このようにして、ゾーン移行判定間隔を短縮したことにより、移行先の候補となる各基地局に対応する受信レベルの測定結果とゾーン移行を判定するタイミングにおける実際の受信レベルとのずれを縮小することができる。これにより、移行判定部２１３は、携帯端末の移動速度が高速である場合においても、正確な測定結果に基づいて、適切な移行判定を行い、また、適切な移行先を決定することができる。
【００３６】
【発明の効果】
以上に説明したように、本発明にかかわるゾーン移行制御方法および携帯端末によれば、携帯端末の移動速度が所定の閾値を超えている場合に、２回目以降のゾーン移行判定の際に、受信レベルの測定対象となる基地局の数を限定することにより、ゾーン移行判定間隔を大幅に短縮することができる。これにより、携帯端末の移動速度が高速である場合に、移行先の候補となる基地局に対応する受信レベルを測定するタイミングとゾーン移行の必要性を判定するタイミングのずれに起因する測定結果の誤差を縮小することができる。したがって、携帯端末の移動速度にかかわらず、正確な測定結果に基づいて、適切な移行判定を行い、また、適切な移行先を決定することができるので、同期はずれや位置登録の再試行などの発生を防ぎ、正常な待ち受け状態を維持するとともに、通話状態への移行もスムーズに実現することができる。
【図面の簡単な説明】
【図１】本発明にかかわるゾーン移行制御方法の原理を示す図である。
【図２】本発明にかかわるゾーン移行制御方法を適用した携帯端末の原理ブロック図である。
【図３】本発明にかかわるゾーン移行制御方法を適用した携帯端末の実施形態を示す図である。
【図４】ゾーン移行を制御する動作を表す流れ図である。
【図５】本発明にかかわるゾーン移行を制御する動作を説明するタイミング図である。
【図６】一般的な携帯端末の構成を示す図である。
【図７】受信レベルを監視する動作を説明するタイミング図である。
【図８】携帯端末の移動とゾーンとの関係を説明する図である。
【符号の説明】
１０１  送受信手段
１１１  レベル測定手段
１１２  速度測定手段
１１３  移行判定手段
１１４  チャネル抽出手段
１１５  モード決定手段
１１６  測定制御手段
１１７  移行処理手段
２０１  速度測定部
２１０  移行処理部
２１１  モード判定部
２１２  測定制御部
２１３  移行判定部
２１４  テーブル並べ替え部
４０１  無線送受信部
４０２  変復調部
４０３  通信処理部
４０４  操作部
４０５  表示部
４０６  音響回路
４０７  待ち受け処理部
４１１  位置登録制御部
４１２  受信レベル測定部
４１３  移行監視部
４１４  受信レベルテーブル
【図１】
2004159109.tif 000003
【図２】
2004159109.tif 000004
【図３】
2004159109.tif 000005
【図４】
2004159109.tif 000006
【図５】
2004159109.tif 000007
【図６】
2004159109.tif 000008
【図７】
2004159109.tif 000009
【図８】
2004159109.tif 000010